(57)【特許請求の範囲】
【請求項１】
静止画像と動画像を含む複数の画像からなる画像群を記録する記録手段と、
前記記録手段から前記画像を再生する再生手段と、
ユーザからの順方向または逆方向の操作を受け付ける操作手段と、
前記操作手段により受け付けられた順方向または逆方向の操作に応じて、再生対象を決定する再生対象決定手段と、
前記画像が再生されている状態において、前記再生対象決定手段により決定された再生対象が静止画像である場合、その再生対象である静止画像を再生し、前記再生対象決定手段により決定された再生対象が動画像である場合、その再生対象である動画像を、通常の再生速度に比べて速い再生速度で再生するように、前記再生手段を制御する再生制御手段と、
前記再生手段により再生された画像を表示させる表示制御手段と
を備え、
前記再生制御手段は、前記操作手段により順方向の操作が受け付けられた場合、前記再生対象決定手段により再生対象として決定された動画像を先頭から順に、通常の再生速度に比べて速い再生速度で再生し、前記操作手段により逆方向の操作が受け付けられた場合、前記再生対象決定手段により再生対象として決定された動画像を終端から順に、通常の再生速度に比べて速い再生速度で逆再生する
再生装置。
【請求項２】
前記操作手段は、さらに、前記ユーザからの速度の設定を受け付け、
前記再生制御手段は、前記再生対象である動画像を、前記操作手段により受け付けられた速度に対応する再生速度で再生するように、前記再生手段を制御し、
前記表示制御手段は、前記操作手段により受け付けられた速度に対応する時間、前記再生手段により再生された静止画像を表示させる
請求項１に記載の再生装置。
【請求項３】
前記記録手段は、前記画像群を所定のグループごとに記録しており、
前記再生対象決定手段は、いまの再生対象と同一のグループ内にある画像を、新しい再生対象として決定する
請求項１に記載の再生装置。
【請求項４】
前記画像群は、その画像群に含まれる画像が取得された日付ごとにグループ化される
請求項３に記載の再生装置。
【請求項５】
前記操作手段は、さらに、前記ユーザからの前記順方向または逆方向の操作の停止を受け付け、
前記再生制御手段は、さらに、前記操作手段により受け付けられた操作の停止に応じて、前記再生対象である動画像の再生速度を、前記通常の再生速度に変更する
請求項１に記載の再生装置。
【請求項６】
前記操作手段は、前記順方向または逆方向の操作に加えて、前記順方向または逆方向の操作量も受け付ける
ことを特徴とする請求項１に記載の再生装置。
【請求項７】
前記操作手段は、ジョグシャトルである
ことを特徴とする請求項１に記載の再生装置。
【請求項８】
静止画像と動画像を含む複数の画像からなる画像群を記録する記録手段と、前記記録手段から前記画像を再生する再生手段とを備える再生装置の再生方法において、
ユーザからの順方向または逆方向の操作を受け付け、
前記順方向または逆方向の操作に応じて、再生対象を決定し、
前記画像が再生されている状態において、決定された再生対象が静止画像である場合、その再生対象である静止画像を再生し、決定された再生対象が動画像であり、かつ、順方向の操作が受け付けられているとき、その再生対象である動画像を先頭から順に、通常の再生速度に比べて速い再生速度で再生し、決定された再生対象が動画像であり、かつ、逆方向の操作が受け付けられているとき、その再生対象である動画像を終端から順に、通常の再生速度に比べて速い再生速度で逆再生するように、前記再生手段を制御し、
再生された画像を表示させる
ステップを含む再生方法。
【請求項９】
静止画像と動画像を含む複数の画像からなる画像群を記録する記録手段と、前記記録手段から前記画像を再生する再生手段とを備える再生装置を制御するコンピュータに行わせるプログラムにおいて、
ユーザからの順方向または逆方向の操作を受け付け、
前記順方向または逆方向の操作に応じて、再生対象を決定し、
前記画像が再生されている状態において、決定された再生対象が静止画像である場合、その再生対象である静止画像を再生し、決定された再生対象が動画像であり、かつ、順方向の操作が受け付けられているとき、その再生対象である動画像を先頭から順に、通常の再生速度に比べて速い再生速度で再生し、決定された再生対象が動画像であり、かつ、逆方向の操作が受け付けられているとき、その再生対象である動画像を終端から順に、通常の再生速度に比べて速い再生速度で逆再生するように、前記再生手段を制御し、
再生された画像を表示させる
ステップを含むプログラム。
【発明の詳細な説明】
【技術分野】
【０００１】
本発明は再生装置および再生方法、並びにプログラムに関し、特に、ユーザが静止画像と動画像を含む複数の画像を、操作部等を用いて再生していく場合において、所望の画像を容易に検索することができるようにした再生装置および再生方法、並びにプログラムに関する。
【背景技術】
【０００２】
近年、デジタルビデオカメラやデジタルスチルカメラなどにおいて、画像を記録する記録媒体の容量の増大化により、１つの記録媒体に、多数の画像を記録したり、長時間の撮影の結果得られる動画像を記録することが可能になっている。
【０００３】
このように、記録媒体に記録されている多数の画像から、所望の画像を検索するためには、ユーザが、各画像を１つずつ選択し、その選択した画像を再生して表示させる必要がある。また、いわゆる一覧表示モードにおいては、動画像は、先頭画像フレームだけが表示されるため、ユーザは該画像を選択して再生することにより、動画像の内容を確認する。そして、動画像の再生中に、所定の操作部を操作することにより、動画像を早送りまたは巻き戻しして表示させることができる。
【０００４】
なお、早送りまたは巻き戻しの速度（再生速度）は、例えば、ユーザが操作デバイスを操作することにより変更可能にすることができる（例えば、特許文献１参照）。
【０００５】
【特許文献１】特開平１０−１０６０６５号公報
【発明の開示】
【発明が解決しようとする課題】
【０００６】
しかしながら、記録媒体に記録される動画像および静止画像を含む多数の画像について、ユーザが所定の操作部を用いて画像を選択し、閲覧していくことにより、所望の画像を検索していく作業は、かなり煩雑である。
【０００７】
本発明は、このような状況に鑑みてなされたものであり、特に、ユーザが静止画像と動画像を含む複数の画像を、操作部等を用いて再生していく場合において、所望の画像を容易に検索することができるようにするものである。
【課題を解決するための手段】
【０００８】
本発明の一側面の再生装置は、静止画像と動画像を含む複数の画像からなる画像群を記録する記録手段と、前記記録手段から前記画像を再生する再生手段と、ユーザからの順方向または逆方向の操作を受け付ける操作手段と、前記操作手段により受け付けられた順方向または逆方向の操作に応じて、再生対象を決定する再生対象決定手段と、前記画像が再生されている状態において、前記再生対象決定手段により決定された再生対象が静止画像である場合、その再生対象である静止画像を再生し、前記再生対象決定手段により決定された再生対象が動画像である場合、その再生対象である動画像を、通常の再生速度に比べて速い再生速度で再生するように、前記再生手段を制御する再生制御手段と、前記再生手段により再生された画像を表示させる表示制御手段とを備え、前記再生制御手段は、前記操作手段により順方向の操作が受け付けられた場合、前記再生対象決定手段により再生対象として決定された動画像を先頭から順に、通常の再生速度に比べて速い再生速度で再生し、前記操作手段により逆方向の操作が受け付けられた場合、前記再生対象決定手段により再生対象として決定された動画像を終端から順に、通常の再生速度に比べて速い再生速度で逆再生する。
【００１０】
前記操作手段は、さらに、前記ユーザからの速度の設定を受け付け、前記再生制御手段は、前記再生対象である動画像を、前記操作手段により受け付けられた速度に対応する再生速度で再生するように、前記再生手段を制御し、前記表示制御手段は、前記操作手段により受け付けられた速度に対応する時間、前記再生手段により再生された静止画像を表示させることができる。
【００１１】
前記記録手段は、前記画像群を所定のグループごとに記録しており、前記再生対象決定手段は、いまの再生対象と同一のグループ内にある画像を、新しい再生対象として決定することができる。
【００１２】
前記画像群は、その画像群に含まれる画像が取得された日付ごとにグループ化されることができる。
【００１３】
前記操作手段は、さらに、前記ユーザからの前記順方向または逆方向の操作の停止を受け付け、前記再生制御手段は、さらに、前記操作手段により受け付けられた操作の停止に応じて、前記再生対象である動画像の再生速度を、前記通常の再生速度に変更することができる。
【００１４】
前記操作手段は、前記順方向または逆方向の操作に加えて、前記順方向または逆方向の操作量も受け付けることができる。
【００１５】
前記操作手段は、ジョグシャトルであるようにすることができる。
【００１６】
本発明の一側面の再生方法は、静止画像と動画像を含む複数の画像からなる画像群を記録する記録手段と、前記記録手段から前記画像を再生する再生手段とを備える再生装置の再生方法において、ユーザからの順方向または逆方向の操作を受け付け、前記順方向または逆方向の操作に応じて、再生対象を決定し、前記画像が再生されている状態において、決定された再生対象が静止画像である場合、その再生対象である静止画像を再生し、決定された再生対象が動画像であり、かつ、順方向の操作が受け付けられているとき、その再生対象である動画像を先頭から順に、通常の再生速度に比べて速い再生速度で再生し、決定された再生対象が動画像であり、かつ、逆方向の操作が受け付けられているとき、その再生対象である動画像を終端から順に、通常の再生速度に比べて速い再生速度で逆再生するように、前記再生手段を制御し、再生された画像を表示させるステップを含む。
【００１７】
本発明の一側面のプログラムは、静止画像と動画像を含む複数の画像からなる画像群を記録する記録手段と、前記記録手段から前記画像を再生する再生手段とを備える再生装置を制御するコンピュータに行わせるプログラムにおいて、ユーザからの順方向または逆方向の操作を受け付け、前記順方向または逆方向の操作に応じて、再生対象を決定し、前記画像が再生されている状態において、決定された再生対象が静止画像である場合、その再生対象である静止画像を再生し、決定された再生対象が動画像であり、かつ、順方向の操作が受け付けられているとき、その再生対象である動画像を先頭から順に、通常の再生速度に比べて速い再生速度で再生し、決定された再生対象が動画像であり、かつ、逆方向の操作が受け付けられているとき、その再生対象である動画像を終端から順に、通常の再生速度に比べて速い再生速度で逆再生するように、前記再生手段を制御し、再生された画像を表示させるステップを含む。
【００１８】
本発明の一側面においては、ユーザからの順方向または逆方向の操作が受け付けられ、前記順方向または逆方向の操作に応じて、再生対象が決定され、前記画像が再生されている状態において、決定された再生対象が静止画像である場合、その再生対象である静止画像が再生され、決定された再生対象が動画像であり、かつ、順方向の操作が受け付けられているとき、その再生対象である動画像が先頭から順に、通常の再生速度に比べて速い再生速度で再生され、決定された再生対象が動画像であり、かつ、逆方向の操作が受け付けられているとき、その再生対象である動画像が終端から順に、通常の再生速度に比べて速い再生速度で逆再生され、再生された画像が表示される。
【００１９】
再生装置は、独立した装置であっても良いし、記録再生装置の再生処理を行うブロックであっても良い。
【発明の効果】
【００２０】
以上のように、本発明の一側面によれば、静止画像と動画像を含む複数の画像を、早送りまたは巻き戻しして表示することができる。
【００２１】
また、本発明の一側面によれば、ユーザが静止画像と動画像を含む複数の画像を、操作部等を用いて再生していく場合において、所望の画像を容易に検索することができる。
【発明を実施するための最良の形態】
【００２２】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本発明の一側面の再生装置は、
静止画像と動画像を含む複数の画像からなる画像群を記録する記録手段(例えば、図１の記録部２３)と、
前記記録手段から前記画像を再生する再生手段(例えば、図１の記録再生制御部２２)と、
ユーザからの順方向(例えば、図２Ａの矢印Ａ方向)または逆方向（例えば、図２Ａの矢印Ｂ方向）の操作を受け付ける操作手段(例えば、図２Ａと図２Ｂのジョグシャトル６１)と、
前記操作手段により受け付けられた順方向または逆方向の操作に応じて、再生対象を決定する再生対象決定手段（例えば、図３の再生対象決定部８３）と、
前記画像が再生されている状態において、前記再生対象決定手段により決定された再生対象が静止画像である場合、その再生対象である静止画像を再生し、前記再生対象決定手段により決定された再生対象が動画像である場合、その再生対象である動画像を、通常の再生速度に比べて速い再生速度で再生するように、前記再生手段を制御する再生制御手段(例えば、図３の再生制御部８４)と、
前記再生手段により再生された画像を表示させる表示制御手段（例えば、図１の出力制御部３６）と
を備え、
前記再生制御手段は、前記操作手段により順方向の操作が受け付けられた場合、前記再生対象決定手段により再生対象として決定された動画像を先頭から順に、通常の再生速度に比べて速い再生速度で再生し（例えば、図７のステップＳ１７の処理）、前記操作手段により逆方向の操作が受け付けられた場合、前記再生対象決定手段により再生対象として決定された動画像を終端から順に、通常の再生速度に比べて速い再生速度で逆再生する（例えば、図１０のステップＳ５７の処理）。
【００２４】
前記再生制御手段は、前記操作手段により順方向の操作が受け付けられた場合、前記再生対象決定手段により再生対象として決定された動画像を先頭から順に、通常の再生速度に比べて速い再生速度で再生し（例えば、図７のステップＳ１７の処理）、前記操作手段により逆方向の操作が受け付けられた場合、前記再生対象決定手段により再生対象として決定された動画像を終端から順に、通常の再生速度に比べて速い再生速度で逆再生する（例えば、図１０のステップＳ５７の処理）。
【００２５】
前記操作手段は、さらに、前記ユーザからの速度の設定を受け付け（例えば、図５のステップＳ１の処理）、
前記再生制御手段は、前記再生対象である動画像を、前記操作手段により受け付けられた速度に対応する再生速度で再生するように、前記再生手段を制御し（例えば、図７のステップＳ１７の処理）、
前記表示制御手段は、前記操作手段により受け付けられた速度に対応する時間、前記再生手段により再生された静止画像を表示させる(例えば、図６のステップＳ８の処理)。
【００２６】
前記記録手段は、前記画像群を所定のグループ(例えば、フォルダ)ごとに記録しており、
前記再生対象決定手段は、いまの再生対象と同一のグループ内にある画像を、新しい再生対象として決定する(例えば、図７のステップＳ１２の処理)。
【００２７】
前記操作手段は、さらに、前記ユーザからの前記順方向または逆方向の操作の停止を受け付け（例えば、図５のステップＳ１の処理）、
前記再生制御手段は、さらに、前記操作手段により受け付けられた操作の停止に応じて、前記再生対象である動画像の再生速度を、前記通常の再生速度に変更する(例えば、図５のステップＳ２３の処理)。
【００２８】
本発明の一側面の再生方法は、
静止画像と動画像を含む複数の画像からなる画像群を記録する記録手段（例えば、図１の記録部２３）と、前記記録手段から前記画像を再生する再生手段（例えば、図１の記録再生制御部２２）とを備える再生装置（例えば、図１のデジタルスチルカメラ１）の再生方法において、
ユーザからの順方向または逆方向の操作を受け付け(例えば、図５のステップＳ１)、
前記順方向または逆方向の操作に応じて、再生対象を決定し（例えば、図７のステップＳ１２）、
前記画像が再生されている状態において、決定された再生対象が静止画像である場合、その再生対象である静止画像を再生し、決定された再生対象が動画像であり、かつ、順方向の操作が受け付けられているとき、その再生対象である動画像を先頭から順に、通常の再生速度に比べて速い再生速度で再生し、決定された再生対象が動画像であり、かつ、逆方向の操作が受け付けられているとき、その再生対象である動画像を終端から順に、通常の再生速度に比べて速い再生速度で逆再生するように、前記再生手段を制御し（例えば、図７のステップＳ１５とステップＳ１７）、
再生された画像を表示させる（例えば、図７のステップＳ１６とステップＳ１８）
ステップを含む。
【００２９】
本発明の一側面のプログラムは、
静止画像と動画像を含む複数の画像からなる画像群を記録する記録手段（例えば、図１の記録部２３）と、前記記録手段から前記画像を再生する再生手段(例えば、図１の記録再生制御部２２)とを備える再生装置（例えば、図１のデジタルスチルカメラ１）を制御するコンピュータに行わせるプログラムにおいて、
ユーザからの順方向または逆方向の操作を受け付け（例えば、図５のステップＳ１）、
前記順方向または逆方向の操作に応じて、再生対象を決定し（例えば、図７のステップＳ１２）、
前記画像が再生されている状態において、決定された再生対象が静止画像である場合、その再生対象である静止画像を再生し、決定された再生対象が動画像であり、かつ、順方向の操作が受け付けられているとき、その再生対象である動画像を先頭から順に、通常の再生速度に比べて速い再生速度で再生し、決定された再生対象が動画像であり、かつ、逆方向の操作が受け付けられているとき、その再生対象である動画像を終端から順に、通常の再生速度に比べて速い再生速度で逆再生するように、前記再生手段を制御し（例えば、図７のステップＳ１５とステップＳ１７）、
再生された画像を表示させる(例えば、図７のステップＳ１６とステップＳ１８)
ステップを含む。
【００３０】
以下、本発明を適用した具体的な実施の形態について、図面を参照しながら詳細に説明する。
【００３１】
図１は、本発明を適用したデジタルスチルカメラ１の構成例を示す図である。
【００３２】
図１のデジタルスチルカメラ１は、カメラ部１０、記録再生処理部２０、および制御部３０から構成される。
【００３３】
カメラ部１０は、光学ブロック１１、カメラ制御部１２、信号変換器１３、撮像信号処理部１４、音声入力部１５、および音声信号処理部１６から構成される。
【００３４】
光学ブロック１１は、被写体を撮像するためのレンズ群、絞り調整機構、フォーカス調整機構、ズーム機構、シャッタ機構、フラッシュ機構、手ぶれ補正機構（いずれも図示せず）などにより構成され、カメラ制御部１２により制御される。光学ブロック１１は、被写体により反射された光を信号変換器１３に供給する。
【００３５】
カメラ制御部１２は、制御部３０のCPU３１の制御により、光学ブロック１１を制御する。信号変換器１３は、例えばCCD（Charge Coupled Device）などの撮像素子により構成され、その撮像素子の受光面に、光学ブロック１１からの光を結像させる。信号変換器１３は、CPU３１から供給される、撮像のタイミングを表すタイミング信号に応じて、受光面に結像されている被写体の像を撮像信号に変換し、撮像信号処理部１４に供給する。
【００３６】
撮像信号処理部１４は、CPU３１の制御により、撮像信号に対してガンマ補正、AGC（Auto Gain Control）、A/D(Analog/Digital)変換などの処理を行い、その結果得られるデジタルデータである動画像または静止画像の画像データを、記録再生処理部２０に供給する。音声入力部１５は、撮影時の被写体の周囲の音声を取得し、その結果得られる音声信号を音声信号処理部１６に供給する。
【００３７】
音声信号処理部１６は、CPU３１の制御により、音声信号に対して補正、AGC、A/D変換などの処理を行い、その結果得られるデジタルデータである音声データを、記録再生処理部２０に供給する。
【００３８】
記録再生処理部２０は、符号化／復号回路２１、記録再生制御部２２、記録部２３、およびバッファメモリ２４から構成される。
【００３９】
符号化／復号回路２１は、CPU３１の制御により、カメラ部１０の撮像信号処理部１４から供給される静止画像の画像データ（以下、静止画像データ）を、JPEG（Joint Photographic Experts Group）などの所定の符号化方式で符号化する。そして、符号化/復号回路２１は、符号化の結果得られる静止画像データを、記録再生制御部２２に供給する。
【００４０】
また、符号化/復号回路２１は、CPU３１の制御により、撮像信号処理部１４から供給される動画像の画像データ（以下、動画像データという）と音声信号処理部１６から供給される音声データとを、バッファメモリ２４に一時的に保持させながら、MPEG2(Moving Picture Experts Group phase 2)などの所定の符号化方式で符号化する。そして、符号化/復号回路２１は、符号化の結果得られる動画像データ（音声付き動画像データ）を、記録再生制御部２２に供給する。
【００４１】
なお、以下では、静止画像データと動画像データを区別する必要がない場合、それらをまとめて画像データという。また、画像データには、画像データに固有のＩＤ（以下、画像ＩＤという）として、例えば、取得順（撮影順）に、１から番号が付加されている。
【００４２】
さらに、符号化／復号回路２１は、CPU３１の制御により、記録再生制御部２２またはメモリカードI/F３７から供給される画像データを復号する。符号化/復号回路２１は、CPU３１の制御により、復号の結果得られる静止画像データまたは動画像データと音声データを、制御部３０に供給する。
【００４３】
記録再生制御部２２は、CPU３１の制御により、符号化／復号回路２１からの静止画像データと動画像データ（音声付き動画像データ）を、記録部２３に記録させる。なお、記録再生制御部２２は、CPU３１の制御により、画像データを、撮影日（画像データが取得された日付）ごとにグループ化し、各グループをフォルダとして、その画像データをフォルダ単位で記録部２３に記録させる。
【００４４】
このとき、記録再生制御部２２は、各フォルダ内の画像データの画像ＩＤと種類（例えば、「静止画像」または「動画像」）、各フォルダ内の画像データの再生順、フォルダの再生順などの情報（以下、フォルダ情報という）も、記録部２３に記録させる。なお、以下では、各フォルダ内の画像データの再生順は、その画像データの画像ＩＤの小さい順であるものとする。また、フォルダの再生順は、そのフォルダに対応する撮影日の古い順であるものとする。
【００４５】
さらに、記録再生制御部２２は、CPU３１の制御により、記録部２３から画像データを再生して、符号化／復号回路２１に供給する。さらに、記録再生制御部２２は、CPU３１の制御により、記録部２３からフォルダ情報を再生して、制御部３０に供給する。
【００４６】
記録部２３は、例えば、ハードディスクにより構成され、画像データ、フォルダ情報、CPU３１により実行されるプログラムなどを記録する。このプログラムは、例えば、メモリカード４３からインストールされる。バッファメモリ２４は、例えばSDRAM（Synchronous Dynamic Random Access Memory）などにより構成され、画像データを一時的に保持する。
【００４７】
制御部３０は、CPU(Central Processing Unit)３１、ROM（Read Only Memory）３３、RAM（Random Access Memory）３４、操作入力I/F(Interface)３５、出力制御部３６、メモリカードI/F３７、および時計回路３８から構成され、それぞれがバス３２を介して接続されている。なお、CPU３１、ROM３３、およびRAM３４は、マイクロコンピュータにより構成されてもよい。
【００４８】
CPU３１は、記録部２３またはROM３３に記録されているプログラムにしたがって、各部を制御し、各種の処理を実行する。具体的には、例えば、CPU３１は、後述する操作入力部４１から操作入力I/F３５を介して入力される撮影（撮像）の指令に応じて、タイミング信号を生成し、バス３２を介して信号変換器１３に供給する。
【００４９】
また、CPU３１は、操作入力部４１から入力される、記録部２３に記録される複数の画像データを早送りして表示させる早送り再生（早送り表示）、または巻き戻しして表示させる巻き戻し再生の指令に応じて、記録再生制御部２２を制御し、記録部２３から画像データを再生または逆再生し、符号化/復号回路２１に供給する。そして、CPU３１は、符号化/復号回路２１を制御して、再生された画像データを復号し、バス３２と出力制御部３６を介して、出力部４２に供給する。その結果、出力部４２には、再生または逆再生された画像データに対応する画像が表示される。
【００５０】
さらに、CPU３１は、時計回路３８から供給される現在の日時を表す時間情報に基づいて、記録再生制御部２２を制御し、画像データをフォルダ単位で記録部２３に記録させる。
【００５１】
ROM３３には、CPU３１が実行するプログラムなどが記憶される。RAM３４には、CPU３１の処理により得られるデータなどが適宜記憶される。操作入力I/F３５には、操作入力部４１が接続される。操作入力部I/F３５は、操作入力部４１から供給される指令を、バス３２を介してCPU３１に供給する。
【００５２】
出力制御部３６には、出力部４２が接続される。出力制御部３６は、CPU３１の制御により、符号化/復号回路２１から供給される静止画像データまたは動画像データと音声データを、出力部４２に供給する。
【００５３】
メモリカードI/F３７には、必要に応じてメモリカード４３が装着される。メモリカードI/F３７は、CPU３１の制御により、符号化／復号回路２１からの画像データをメモリカード４３に記録させる。また、メモリカードI/F３７は、CPU３１の制御により、メモリカード４３から画像データを読み出し、符号化／復号回路２１に供給する。時計回路３８は、現在の日時を計時し、その日時を表す時間情報を、バス３２を介してCPU３１に供給する。
【００５４】
操作入力部４１は、早送り再生または巻き戻し再生を指令するための後述するジョグシャトル６１（図２Ａと図２Ｂ）、撮影を指令するための撮影ボタン、画像の表示を指令するための表示ボタン（再生ボタン）などから構成される。操作入力部４１は、ユーザからの指令を受け付け、その指令を操作入力部I/F３５に供給する。
【００５５】
出力部４２は、例えば、ディスプレイ（パネル）、スピーカなどにより構成され、出力制御部３６から供給される静止画像データまたは動画像データに対応する画像、あるいは音声データに対応する音声を出力する。
【００５６】
図２Ａと図２Ｂは、ジョグシャトル６１の外観構成例を示す図である。
【００５７】
図２Ａに示すように、ジョグシャトル６１は、図中垂直方向の図示せぬ軸を中心として、図中矢印Ａ方向（時計回り）または矢印Ｂ方向（反時計回り）に回動可能になっている。また、何らの操作も行われていないとき、ジョグシャトル６１に設けられた目盛６１Ａは、中立の位置Ｃに置かれている。
【００５８】
ユーザは、早送り再生を指令するとき、ジョグシャトル６１を矢印Ａ方向（順方向）に回動させる。また、ユーザは、巻き戻し再生を指令するとき、ジョグシャトル６１を矢印Ｂ方向（逆方向）に回動させる。さらに、ユーザは、早送り再生または巻き戻し再生を停止させるとき、ジョグシャトル６１への操作を停止する。これにより、ジョグシャトル６１が回動し、目盛６１Ａが位置Ｃに置かれる。
【００５９】
なお、ユーザは、ジョグシャトル６１を操作することにより、早送り再生または巻き戻し再生の再生速度を３段階で設定することができる。即ち、図２Ｂに示すように、ジョグシャトル６１には、早送り再生の再生速度の３段階に対応する位置Ａ１乃至Ａ３と、巻き戻し再生の再生速度の３段階に対応する位置Ｂ１乃至Ｂ３とが予め定められている。
【００６０】
なお、再生速度は、１段階が最も遅く、段階が大きくなるにしたがって速くなるものとする。即ち、再生対象が静止画像である場合、１段階から順に、段階が大きくなるにしたがって、静止画像の表示時間が短くなる。また、再生対象が動画像である場合、例えば、１段階に対応する再生速度が２倍速（通常の再生速度の２倍の速度）、２段階に対応する再生速度が４倍速、３段階に対応する再生速度が８倍速となる。
【００６１】
ユーザは、１段階目の再生速度の早送り再生を指令するとき、目盛６１Ａが位置Ｃから位置Ａ１までに置かれるように、ジョグシャトル６１を回動させる。また、ユーザは、２段階目の再生速度の早送り再生を指令するとき、目盛６１Ａが位置Ａ１から位置Ａ２までに置かれるように、ジョグシャトル６１を回動させる。さらに、ユーザは、３段階目の再生速度の早送り再生を指令するとき、目盛６１Ａが位置Ａ２から位置Ａ３までに置かれるように、ジョグシャトル６１を回動させる。
【００６２】
同様に、ユーザは、１段階目の再生速度の巻き戻し再生を指令するとき、目盛６１Ａが位置Ｃから位置Ｂ１までに置かれるように、ジョグシャトル６１を回動させる。また、ユーザは、２段階目の再生速度の巻き戻し再生を指令するとき、目盛６１Ａが位置Ｂ１から位置Ｂ２までに置かれるように、ジョグシャトル６１を回動させる。さらに、ユーザは、３段階目の再生速度の巻き戻し再生を指令するとき、目盛６１Ａが位置Ｂ２から位置Ｂ３までに置かれるように、ジョグシャトル６１を回動させる。
【００６３】
なお、以下では、早送り再生の再生速度の段階を早送り段階といい、巻き戻し再生の再生速度の段階を巻き戻し段階という。
【００６４】
図３は、所定のプログラムを実行することにより実現される図１のCPU３１の機能の構成例を示すブロック図である。
【００６５】
図３のCPU３１は、フォルダ情報取得部８１、再生位置取得部８２、再生対象決定部８３、再生制御部８４、および画像取得部８５から構成される。
【００６６】
フォルダ情報取得部８１は、記録再生制御部２２を制御して、記録部２３からフォルダ情報を再生し、フォルダ情報を取得する。そして、フォルダ情報取得部８１は、そのフォルダ情報を、再生対象決定部８３に供給する。
【００６７】
再生位置取得部８２には、後述する画像取得部８５から供給される動画像データに基づいて、いま再生されている動画像データの再生位置を取得し、再生対象決定部８３に供給する。
【００６８】
再生対象決定部８３は、操作入力部４１のジョグシャトル６１から、操作入力部I/F３５を介して供給される早送り再生または巻き戻し再生の指令に応じて、再生対象を決定する。具体的には、再生対象決定部８３は、フォルダ情報取得部８１からのフォルダ情報と、再生位置取得部８２からの再生位置とに基づいて、新しい再生対象を決定する。そして、再生対象決定部８３は、再生対象の画像ＩＤと画像データの種類を、再生制御部８４に供給する。また、再生対象決定部８３は、再生位置取得部８２からの再生位置を、再生制御部８４に供給する。
【００６９】
再生制御部８４は、再生対象決定部８３から供給される画像ＩＤと画像データの種類に基づいて、記録再生制御部２２を制御し、その画像ＩＤが付加された静止画像データを、記録部２３から再生する。また、再生制御部８４は、画像ＩＤと画像データの種類、並びにジョグシャトル６１Ａから操作入力I/F３５を介して供給される、ユーザにより設定（指令）された早送り段階に基づいて、記録再生制御部２２を制御し、その画像ＩＤが付加された動画像データ（音声付き動画像データ）を先頭から順に、早送り段階に対応する再生速度で再生する。
【００７０】
さらに、再生制御部８４は、画像ＩＤと画像データの種類、並びにジョグシャトル６１Ａからの巻き戻し段階に基づいて、記録再生制御部２２を制御し、その画像ＩＤが付加された動画像データを終端から順に、巻き戻し段階に対応する再生速度で逆再生する。
【００７１】
また、再生制御部８４は、再生位置取得部８２から供給される再生位置と、ジョグシャトル６１Ａから供給される早送り段階とに基づいて、記録再生制御部２２を制御し、その再生位置から、いまの再生対象である動画像データ（音声付き動画像データ）を、早送り段階に対応する再生速度で再生する。さらに、再生制御部８４は、再生位置と巻き戻し段階とに基づいて、記録再生制御部２２を制御し、その再生位置から、いまの再生対象である動画像データを、巻き戻し段階に対応する再生速度で逆再生する。
【００７２】
画像取得部８５には、符号化/復号回路２１から画像データが供給される。画像取得部８５は、その画像データのうち動画像データを再生位置取得部８２に供給する。また、画像取得部８５は、出力制御部３６を制御し、その画像データに対応する動画像または静止画像を出力部４２に表示させる。
【００７３】
なお、画像取得部８５は、ジョグシャトル６１Ａから供給される早送り段階または巻き戻し段階と、時計回路３８からの時間情報とに基づいて、出力制御部３６を制御し、巻き戻し段階に対応する時間、静止画像を表示させる。
【００７４】
図４は、記録部２３に記録される画像データの例を示す図である。
【００７５】
図４の例において、静止画像＃１と＃２、動画像＃３、並びに静止画像＃４と＃５がフォルダ＃１として記録部２３に記録され、動画像＃６および静止画像＃７乃至＃９がフォルダ＃２として記録部２３に記録されている。
【００７６】
なお、フォルダ＃ｉとは、再生順がｉ番目のフォルダを表す。また、静止画像＃ｊとは、画像ＩＤがｊの静止画像データを表し、動画像＃ｋとは、画像ＩＤがｋの動画像データ（音声付き動画像データ）を表す。
【００７７】
図４の例において、例えば、静止画像＃１の表示中に、ユーザがジョグシャトル６１を操作して、早送り再生を指令する場合、フォルダ＃１内の、画像データの再生順が、静止画像＃１の次である静止画像＃２が再生され、早送り段階に対応する時間だけ表示される。その後、再生順が静止画像＃２の次である動画像＃３が、先頭から終端まで、早送り段階に対応する再生速度で再生され、表示される。
【００７８】
次に、再生順が動画像＃３の次である静止画像＃４が再生され、早送り段階に対応する時間だけ、表示される。そして、再生順が静止画像＃４の次であり、フォルダ＃１の最後の画像データである静止画像＃５が再生され、ユーザが早送り再生の停止を指令し、その後再度早送り再生を指令するまで、即ちジョグシャトル６１の操作を一旦停止し、その後再ジョグシャトル６１を矢印Ａ方向に回動させるまで、静止画像＃５が表示される。
【００７９】
ユーザが早送り再生の停止を指令し、再度早送り再生を指令すると、フォルダの再生順が、フォルダ＃１の次であるフォルダ＃２の最初の画像データである動画像＃６が、先頭から終端まで、早送り段階に対応する再生速度で再生され、表示される。そして、フォルダ＃２内の、画像データの再生順が動画像＃６の次である静止画像＃７と、その次である静止画像＃８が順に再生され、早送り段階に対応する時間だけ、それぞれ表示される。その後、再生順が静止画像＃８の次であり、フォルダ＃２の最後の画像データである静止画像＃９が再生され、表示される。
【００８０】
また、静止画像＃９の表示中に、ユーザがジョグシャトル６１を操作して、巻き戻し再生を指令する場合、フォルダ＃２内の、画像データの再生順が静止画像＃９の前である静止画像＃８と、その前である静止画像＃７が順に再生され、巻き戻し段階に対応する時間だけ、それぞれ表示される。その後、再生順が静止画像＃７の前であり、フォルダ＃２の最初の画像データである動画像＃６が、終端から先頭まで、巻き戻し段階に対応する再生速度で逆再生（巻き戻し再生）され、表示される。そして、ユーザが巻き戻し再生の停止を指令し、その後再度巻き戻し再生を指令するまで、動画像＃５の先頭（の画像）が表示される。
【００８１】
ユーザが巻き戻し再生の停止を指令し、再度巻き戻し再生を指令すると、フォルダの再生順が、フォルダ＃２の前であるフォルダ＃１の最後の画像データである静止画像＃５と、画像データの再生順が静止画像＃５の前である静止画像＃４とが順に再生され、巻き戻し段階に対応する時間だけ表示される。次に、再生順が静止画像＃４の前である動画像＃３が終端から先頭まで、巻き戻し段階に対応する再生速度で逆再生され、表示される。そして、再生順が動画像＃３の前である静止画像＃２が再生され、巻き戻し段階に対応する時間だけ、表示される。その後、再生順が静止画像＃２の前であり、フォルダ＃１の最初の画像データである静止画像＃１が再生され、表示される。
【００８２】
以上のように、ユーザが早送り再生を指令する場合、デジタルスチルカメラ１は、再生対象である動画像を、早送り段階に対応する再生速度で先頭から再生して表示させ、ユーザが巻き戻し再生を指令する場合、再生対象である動画像を、巻き戻し段階に対応する再生速度で終端から逆再生して表示させる。
【００８３】
従って、ユーザが、記録部２３に記録されている画像データの早送り再生または巻き戻し再生を指令して、所望の動画像を検索する場合、動画像の全体を把握し、その動画像が所望の動画像であるかどうかを判断することができる。即ち、動画像の検索効率を向上させることができる。
【００８４】
次に、図５乃至図７を参照して、図１のデジタルスチルカメラ１が行う早送り表示処理を説明する。この早送り表示処理は、例えば、ユーザが操作入力部４１の表示ボタンを操作して、画像の表示を指令したときに、開始される。
【００８５】
ステップＳ１において、操作入力部４１のジョグシャトル６１（図２Ａと図２Ｂ）は、早送り表示（早送り再生）が指令されたかどうか、即ちユーザによりジョグシャトル６１が矢印Ａ方向に回動されたかどうかを判定し、早送り表示が指令されと判定した場合、その指令を再生対象決定部８３に供給して、ステップＳ２に進む。
【００８６】
ステップＳ２において、ジョグシャトル６１は、目盛６１Ａの位置、即ちユーザのジョグシャトル６１に対する操作の量（操作量）を検出し、ユーザにより設定された早送り段階を決定する。具体的には、目盛６１Ａが位置Ｃから位置Ａ１までにある場合、ジョグシャトル６１Ａは、早送り段階を１段階に決定し、目盛６１Ａが位置Ａ１から位置Ａ２までにある場合、ジョグシャトル６１Ａは、早送り段階を２段階に決定する。また、目盛６１Ａが位置Ａ２から位置Ａ３までにある場合、ジョグシャトル６１Ａは、早送り段階を３段階に決定する。そして、ジョグシャトル６１Ａは、早送り段階を再生制御部８４と画像取得部８５に供給し、図６のステップＳ３に進む。
【００８７】
ステップＳ３において、再生対象決定部８３は、早送り表示中であるかどうか、即ちRAM３４に保持されている早送り再生の有無を表す早送りフラグがオンであるかどうかを判定し、早送り表示中ではないと判定された場合、ステップＳ４に進む。
【００８８】
ステップＳ４において、再生対象決定部８３は、RAM３４に保持されている早送りフラグを、早送り再生の有を表すオンにし、図７のステップＳ１０に進む。
【００８９】
一方、ステップＳ３において、早送り表示中であると判定された場合、ステップＳ５に進み、再生対象決定部８３は、フォルダ情報取得部８１から供給されるフォルダ情報の画像データの種類と、いまの再生対象の画像ＩＤとに基づいて、いまの再生対象が静止画像データであるかどうかを判定し、いまの再生対象が静止画像データではないと判定された場合、即ちいまの再生対象が動画像データである場合、ステップＳ６に進む。
【００９０】
ステップＳ６において、再生対象決定部８３は、フォルダ情報取得部８１から供給されるフォルダ情報、いまの再生対象の画像ＩＤ、および再生位置取得部８２から供給される再生位置に基づいて、いまの再生対象である動画像データがフォルダ内の最後の画像データであり、かつ再生位置が動画像データの終端であるかどうかを判定する。
【００９１】
即ち、再生対象決定部８３は、フォルダ情報と、いまの再生対象の画像ＩＤから、いまの再生対象がフォルダ内の最後の画像データであるかどうかを判定するとともに、再生位置から、いまの再生位置が再生対象である動画像データの終端であるかどうかを判定する。
【００９２】
ステップＳ６において、いまの再生対象がフォルダ内の最後の画像データであり、かつ再生位置が動画像データの終端ではないと判定された場合、ステップＳ７に進み、ジョグシャトル６１は、直前の図５のステップＳ２で決定された早送り段階が変化したかどうか、即ち前回（直前より１つ前の回）のステップＳ２で決定された早送り段階と、直前のステップＳ２で決定された早送り段階とが異なるかどうかを判定する。
【００９３】
ステップＳ７において、早送り段階が変化したと判定された場合、図７のステップＳ１０に進む。
【００９４】
一方、ステップＳ６において、いまの再生対象がフォルダ内の最後の画像データであり、かつ再生位置が動画像データの終端であると判定された場合、またはステップＳ７において早送り段階が変化していないと判定された場合、図５のステップＳ１に戻り、上述した処理が繰り返される。
【００９５】
また、ステップＳ５において、いまの再生対象が静止画像データであると判定された場合、ステップＳ８に進み、画像取得部８５は、直前の図５のステップＳ２で供給される早送り段階と、時計回路３８から供給される時間情報とに基づいて、いまの再生対象である静止画像データに対応する静止画像が出力部４２に表示されてから、早送り段階に対応する時間が経過したかどうかを判定する。
【００９６】
ステップＳ８において、早送り段階に対応する時間が経過したと判定された場合、ステップＳ９に進み、再生対象決定部８３は、フォルダ情報と、いまの再生対象の画像ＩＤとに基づいて、いまの再生対象が、フォルダ内の再生順が最後の画像データであるかどうかを判定し、再生順が最後の静止画像データではないと判定した場合、図７のステップＳ１０に進む。
【００９７】
一方、ステップＳ８において、早送り段階に対応する時間が経過していないと判定される場合、またはステップＳ９において、再生対象がフォルダ内の再生順が最後の画像データであると判定された場合、図５のステップＳ１に戻り、上述した処理が繰り返される。
【００９８】
図７のステップＳ１０において、再生対象決定部８３は、フォルダ情報の画像データの種類と、いまの再生対象の画像ＩＤとに基づいて、いまの再生対象は静止画像データであるかどうかを判定し、いまの再生対象は静止画像データであると判定した場合、ステップＳ１１に進む。
【００９９】
ステップＳ１１において、再生対象決定部８３は、フォルダ情報と、いまの再生対象の画像ＩＤとに基づいて、いまの再生対象である静止画像データを含むフォルダ内に、再生順（画像ＩＤの番号）が、いまの再生対象の次の画像データがあるかどうかを判定する。
【０１００】
ステップＳ１１において、いまの再生対象である静止画像データを含むフォルダ内に、再生順が、いまの再生対象の次の画像データがあると判定された場合、ステップＳ１２に進み、再生対象決定部８３は、次の画像データを、新しい再生対象に決定する。例えば、いまの再生対象が、記録部２３に記録される図４の静止画像＃２である場合、再生対象決定部８３は、画像ＩＤの番号が次の３である動画像＃３を、新しい再生対象に決定し、その新しい再生対象である画像データの画像ＩＤ「３」と、画像データの種類「動画像」を、再生制御部８４に供給する。
【０１０１】
一方、ステップＳ１１において、いまの再生対象である静止画像データを含むフォルダ内に、再生順が、いまの再生対象の次の画像データがないと判定された場合、ステップＳ１３に進み、再生対象決定部８３は、フォルダ情報と、いまの再生対象の画像ＩＤに基づいて、フォルダの再生順が、いまの再生対象である静止画像データを含むフォルダの次のフォルダ内の最初の画像データを、新しい再生対象に決定し、その新しい再生対象である画像データの画像ＩＤと画像データの種類を、再生制御部８４に供給する。
【０１０２】
ステップＳ１２またはＳ１３の処理後は、ステップＳ１４に進み、再生制御部８４は、ステップＳ１２またはＳ１３で供給される新しい再生対象である画像データの種類に基づいて、その新しい再生対象は、静止画像データであるかどうかを判定する。
【０１０３】
ステップＳ１４において、新しい再生対象は静止画像データであると判定された場合、再生制御部８４は、新しい再生対象の画像ＩＤに基づいて、記録再生制御部２２を制御し、その画像ＩＤに対応する静止画像データを記録部２３から再生して、符号化/復号回路２１に供給する。符号化/復号回路２１は、その静止画像データを画像取得部８５に供給する。
【０１０４】
ステップＳ１５の処理後は、ステップＳ１６に進み、画像取得部８５は、出力制御部３６を制御し、符号化/復号回路２１から供給される静止画像データに対応する静止画像を出力部４２に表示させ、図５のステップＳ１に戻る。
【０１０５】
一方、ステップＳ１４において、新しい再生対象は静止画像データではないと判定された場合、即ち動画像データであると判定された場合、ステップＳ１７に進み、再生制御部８４は、新しい再生対象の画像ＩＤに基づいて、記録再生制御部２２を制御し、その画像ＩＤに対応する動画像データの記録部２３からの再生を開始する。
【０１０６】
即ち、再生制御部８４は、その動画像データを先頭から順に、記録部２３から再生する。記録再生制御部２２は、記録部２３から再生した動画像データを符号化/復回路２１を介して、画像取得部８５に供給する。
【０１０７】
ステップＳ１７の処理後は、ステップＳ１８に進み、画像取得部８５は、出力制御部３６を制御し、符号化/復号回路２１から供給される動画像データに対応する動画像の出力部４２への表示を開始して、図５のステップＳ１に戻る。
【０１０８】
また、ステップＳ１０において、いまの再生対象は静止画像データではないと判定された場合、即ちいまの再生対象は動画像データである場合、ステップＳ１９に進み、再生対象決定部８３は、再生位置取得部８２から供給される再生位置が、いまの再生対象である動画像データの終端であるかどうかを判定する。
【０１０９】
ステップＳ１９において、いまの再生対象である動画像データの終端であると判定された場合、その動画像データの再生と、動画像データに対応する動画像の表示が停止され、ステップＳ１１に進み、上述した処理を行う。
【０１１０】
一方、ステップＳ１９において、いまの再生対象である動画像データの終端ではないと判定された場合、再生対象決定部８３は、再生位置取得部８２から供給される再生位置を再生制御部８４に供給し、ステップＳ２０に進む。
【０１１１】
ステップＳ２０において、再生制御部８４は、いまの再生対象である動画像データの再生速度を、直前の図５のステップＳ２で供給される早送り段階に対応する再生速度に変更する。具体的には、再生制御部８４は、再生対象決定部８３から供給される再生位置から順に、早送り段階に対応する再生速度で、いまの再生対象を記録部２３から再生し、図５のステップＳ１に戻る。
【０１１２】
また、図５のステップＳ１において、早送り表示が指令されていないと判定された場合、即ち、ジョグシャトル６１の目盛６１Ａが位置Ｃにある場合、ステップＳ２１に進み、再生対象決定部８３は、早送りフラグをオフにし、ステップＳ２２に進む。
【０１１３】
ステップＳ２２において、再生対象決定部８３は、動画像の早送り表示中であるかどうか、即ちフォルダ情報取得部８１からのフォルダ情報、いまの再生対象の画像ＩＤ、および再生位置取得部８２からの再生位置に基づいて、いまの再生対象が動画像データであり、かつ再生位置が動画像データの途中であるかどうかを判定する。なお、いまの再生対象がない場合、即ちステップＳ２１の処理前に早送りフラグがオフである場合、再生対象決定部８３は、動画像の早送り表示中ではないと判定する。
【０１１４】
ステップＳ２２において、動画像の早送り表示中ではないと判定された場合、ステップＳ１に戻り、早送り表示が指令されるまで、ステップＳ２１とＳ２２の処理を繰り返す。
【０１１５】
一方、ステップＳ２２において、動画像の早送り表示中であると判定された場合、再生対象決定部８３は、再生位置を再生制御部８４に供給し、ステップＳ２３に進む。
【０１１６】
ステップＳ２３において、再生制御部８４は、記録再生制御部２２を制御し、いまの再生対象である動画像データの、再生対象決定部８３から供給される再生位置からの通常再生を開始する。ここで、通常再生とは、通常の再生速度（１倍速）で再生することをいう。再生制御部８４は、記録再生制御部２２を制御し、再生した動画像データを符号化/復号回路２１を介して、画像取得部８５に供給する。
【０１１７】
ステップＳ２３の処理後は、ステップＳ２４に進み、画像取得部８５は、出力制御部３６を制御し、符号化/復号回路２１から供給される動画像データに対応する動画像の出力部４２への表示を開始する。そして、ステップＳ１に戻り、上述した処理が繰り返される。      
【０１１８】
次に、図８乃至図１０を参照して、図１のデジタルスチルカメラ１が行う巻き戻し表示処理を説明する。この巻き戻し表示処理は、例えば、ユーザが操作入力部４１の表示ボタンを操作して、画像データの表示を指令したときに、開始される。
【０１１９】
ステップＳ４１において、操作入力部４１のジョグシャトル６１は、巻き戻し表示（巻き戻し再生）が指令されたかどうか、即ちユーザによりジョグシャトル６１が矢印Ｂ方向に回動されたかどうかを判定し、巻き戻し表示が指令されと判定した場合、その指令を再生対象決定部８３に供給して、ステップＳ４２に進む。
【０１２０】
ステップＳ４２において、ジョグシャトル６１は、目盛６１Ａの位置を検出し、ユーザにより設定された巻き戻し段階を決定する。具体的には、目盛６１Ａが位置Ｃから位置Ｂ１までにある場合、ジョグシャトル６１Ａは、巻き戻し段階を１段階に決定し、目盛６１Ａが位置Ｂ１から位置Ｂ２までにある場合、ジョグシャトル６１Ａは、巻き戻し段階を２段階に決定する。また、目盛６１Ａが位置Ｂ２から位置Ｂ３までにある場合、ジョグシャトル６１Ａは、巻き戻し段階を３段階に決定する。そして、ジョグシャトル６１Ａは、巻き戻し段階を、再生対象決定部８３と画像取得部８５に供給し、図９のステップＳ４３に進む。
【０１２１】
ステップＳ４３において、再生対象決定部８３は、巻き戻し表示中であるかどうか、即ちRAM３４に保持されている巻き戻し再生の有無を表す巻き戻しフラグがオンであるかどうかを判定し、巻き戻し表示中ではないと判定された場合、ステップＳ４４に進む。
【０１２２】
ステップＳ４４において、再生対象決定部８３は、RAM３４に保持されている巻き戻しフラグを、巻き戻し再生の有を表すオンにし、図１０のステップＳ５０に進む。
【０１２３】
一方、ステップＳ４３において、巻き戻し表示中であると判定された場合、ステップＳ４５に進み、再生対象決定部８３は、フォルダ情報取得部８１から供給されるフォルダ情報の画像データの種類と、いまの再生対象の画像ＩＤとに基づいて、いまの再生対象が静止画像データであるかどうかを判定し、いまの再生対象が静止画像データではないと判定された場合、即ちいまの再生対象が動画像データである場合、ステップＳ４６に進む。
【０１２４】
ステップＳ４６において、再生対象決定部８３は、フォルダ情報取得部８１から供給されるフォルダ情報、いまの再生対象の画像ＩＤ、および再生位置取得部８２から供給される再生位置に基づいて、いまの再生対象である動画像データがフォルダ内の最初の画像データであり、かつ再生位置が動画像データの先頭であるかどうかを判定する。
【０１２５】
即ち、再生対象決定部８３は、フォルダ情報と、いまの再生対象の画像ＩＤから、いまの再生対象がフォルダ内の最初の画像データであるかどうかを判定するとともに、再生位置から、いまの再生位置が再生対象である動画像データの先頭であるかどうかを判定する。
【０１２６】
ステップＳ４６において、いまの再生対象がフォルダ内の最初の画像データであり、かつ再生位置が動画像データの先頭ではないと判定された場合、ステップＳ４７に進み、ジョグシャトル６１は、直前の図８のステップＳ４２で決定された巻き戻し段階が変化したかどうか、即ち前回（直前より１つ前の回）のステップＳ４２で決定された巻き戻し段階と、直前のステップＳ４２で決定された巻き戻し段階とが異なるかどうかを判定する。
【０１２７】
ステップＳ４７において、巻き戻し段階が変化したと判定された場合、図１０のステップＳ５０に進む。
【０１２８】
一方、ステップＳ４６において、いまの再生対象がフォルダ内の最初の画像データであり、かつ再生位置が動画像データの先頭であると判定された場合、またはステップＳ４７において巻き戻し段階が変化していないと判定された場合、図８のステップＳ４１に戻り、上述した処理が繰り返される。
【０１２９】
また、ステップＳ４５において、いまの再生対象が静止画像データであると判定された場合、ステップＳ４８に進み、画像取得部８５は、直前の図８のステップＳ４２で供給される巻き戻し段階と、時計回路３８から供給される時間情報とに基づいて、いまの再生対象である静止画像データに対応する静止画像が出力部４２に表示されてから、巻き戻し段階に対応する時間が経過したかどうかを判定する。
【０１３０】
ステップＳ４８において、巻き戻し段階に対応する時間が経過したと判定された場合、ステップＳ４９に進み、再生対象決定部８３は、フォルダ情報と、いまの再生対象の画像ＩＤとに基づいて、いまの再生対象が、フォルダ内の再生順が最初の画像データであるかどうかを判定し、再生順が最初の静止画像データではないと判定した場合、図１０のステップＳ５０に進む。
【０１３１】
一方、ステップＳ４８において、巻き戻し段階に対応する時間が経過していないと判定される場合、またはステップＳ４９において、再生対象がフォルダ内の再生順が最初の画像データであると判定された場合、図８のステップＳ４１に戻り、上述した処理が繰り返される。
【０１３２】
図１０のステップＳ５０において、再生対象決定部８３は、フォルダ情報の画像データの種類と、いまの再生対象の画像ＩＤとに基づいて、いまの再生対象は静止画像データであるかどうかを判定し、いまの再生対象は静止画像データであると判定した場合、ステップＳ５１に進む。
【０１３３】
ステップＳ５１において、再生対象決定部８３は、フォルダ情報と、いまの再生対象の画像ＩＤとに基づいて、いまの再生対象である静止画像データを含むフォルダ内に、再生順（画像ＩＤの番号）が、いまの再生対象の前の画像データがあるかどうかを判定する。
【０１３４】
ステップＳ５１において、いまの再生対象である静止画像データを含むフォルダ内に、再生順が、いまの再生対象の前の画像データがあると判定された場合、ステップＳ５２に進み、再生対象決定部８３は、前の画像データを、新しい再生対象に決定する。例えば、いまの再生対象が、記録部２３に記録される図４の静止画像＃２である場合、再生対象決定部８３は、画像ＩＤの番号が前の１である静止画像＃１を、新しい再生対象に決定し、その新しい再生対象である画像データの画像ＩＤ「１」と、画像データの種類「静止画像」を、再生制御部８４に供給する。
【０１３５】
一方、ステップＳ５１において、いまの再生対象である静止画像データを含むフォルダ内に、再生順が、いまの再生対象の前の画像データがないと判定された場合、ステップＳ５３に進み、再生対象決定部８３は、フォルダ情報といまの再生対象の画像ＩＤに基づいて、フォルダの再生順が、いまの再生対象である静止画像データを含むフォルダの前のフォルダ内の最後の画像データを、新しい再生対象に決定し、その新しい再生対象である画像データの画像ＩＤと画像データの種類を、再生制御部８４に供給する。
【０１３６】
ステップＳ５２またはＳ５３の処理後は、ステップＳ５４に進み、再生制御部８４は、ステップＳ５２またはＳ５３で供給される新しい再生対象である画像データの種類に基づいて、その新しい再生対象は、静止画像データであるかどうかを判定する。
【０１３７】
ステップＳ５４において、新しい再生対象は静止画像データであると判定された場合、再生制御部８４は、新しい再生対象の画像ＩＤに基づいて、記録再生制御部２２を制御し、その画像ＩＤに対応する静止画像データを記録部２３から再生して、符号化/復号回路２１に供給する。符号化/復号回路２１は、その静止画像データを画像取得部８５に供給する。
【０１３８】
ステップＳ５５の処理後は、ステップＳ５６に進み、画像取得部８５は、出力制御部３６を制御し、符号化/復号回路２１から供給される静止画像データに対応する静止画像を出力部４２に表示させ、図８のステップＳ４１に戻る。
【０１３９】
一方、ステップＳ５４において、新しい再生対象は静止画像データではないと判定された場合、即ち動画像データであると判定された場合、ステップＳ５７に進み、再生制御部８４は、新しい再生対象の画像ＩＤに基づいて、記録再生制御部２２を制御し、その画像ＩＤに対応する動画像データの記録部２３からの逆再生を開始する。
【０１４０】
即ち、再生制御部８４は、その動画像データを終端から順に、記録部２３から再生する。記録再生制御部２２は、記録部２３から再生した動画像データを符号化/復回路２１を介して、画像取得部８５に供給する。
【０１４１】
ステップＳ５７の処理後は、ステップＳ５８に進み、画像取得部８５は、出力制御部３６を制御し、符号化/復号回路２１から供給される動画像データに対応する動画像の出力部４２への表示を開始して、図８のステップＳ４１に戻る。
【０１４２】
また、ステップＳ５０において、いまの再生対象は静止画像データではないと判定された場合、即ちいまの再生対象は動画像データである場合、ステップＳ５９に進み、再生対象決定部８３は、再生位置取得部８２から供給される再生位置が、いまの再生対象である動画像データの先頭であるかどうかを判定する。
【０１４３】
ステップＳ５９において、いまの再生対象である動画像データの先頭であると判定された場合、その動画像データの再生と、動画像データに対応する動画像の表示が停止され、ステップＳ５１に進み、上述した処理を行う。
【０１４４】
一方、ステップＳ５９において、いまの再生対象である動画像データの先頭ではないと判定された場合、再生対象決定部８３は、再生位置取得部８２から供給される再生位置を再生制御部８４に供給し、ステップＳ６０に進む。
【０１４５】
ステップＳ６０において、再生制御部８４は、いまの再生対象である動画像データの再生速度を、直前の図８のステップＳ４２で供給される巻き戻し段階に対応する再生速度に変更する。具体的には、再生制御部８４は、再生対象決定部８３から供給される再生位置から順に、巻き戻し段階に対応する再生速度で、いまの再生対象を記録部２３から逆再生し、図８のステップＳ４１に戻る。
【０１４６】
また、図８のステップＳ４１において、巻き戻し表示が指令されていないと判定された場合、即ち、ジョグシャトル６１の目盛６１Ａが位置Ｃにある場合、ステップＳ６１に進み、再生対象決定部８３は、巻き戻しフラグをオフにし、ステップＳ６２に進む。
【０１４７】
ステップＳ６２において、再生対象決定部８３は、動画像の巻き戻し表示中であるかどうか、即ちフォルダ情報取得部８１からのフォルダ情報、いまの再生対象の画像ＩＤ、および再生位置取得部８２からの再生位置に基づいて、いまの再生対象が動画像データであり、かつ再生位置が動画像データの途中であるかどうかを判定する。なお、いまの再生対象がない場合、即ちステップＳ６１の処理前に巻き戻しフラグがオフである場合、再生対象決定部８３は、動画像の巻き戻し表示中ではないと判定する。
【０１４８】
ステップＳ６２において、動画像の巻き戻し表示中ではないと判定された場合、ステップＳ４１に戻り、巻き戻し表示が指令されるまで、ステップＳ６１とＳ６２の処理を繰り返す。
【０１４９】
一方、ステップＳ６２において、動画像の巻き戻し表示中ではないと判定された場合、再生対象決定部８３は、再生位置を再生制御部８４に供給し、ステップＳ６３に進む。
【０１５０】
ステップＳ６３において、再生制御部８４は、記録再生制御部２２を制御し、いまの再生対象である動画像データの、再生対象決定部８３から供給される再生位置からの通常再生を開始する。再生制御部８４は、記録再生制御部２２を制御し、再生した動画像データを符号化/復号回路２１を介して、画像取得部８５に供給する。
【０１５１】
ステップＳ６３の処理後は、ステップＳ６４に進み、画像取得部８５は、出力制御部３６を制御し、符号化/復号回路２１から供給される動画像データに対応する動画像の出力部４２への表示を開始する。そして、ステップＳ４１に戻り、上述した処理が繰り返される。
【０１５２】
なお、上述した図５乃至図７の早送り表示処理または図８乃至図１０の巻き戻し表示処理では、出力部４２に画像を表示（出力）させたが、画像だけでなく、音声を出力するようにしてもよい。
【０１５３】
また、上述した説明では、画像データが、撮影日ごとにグループ化されたが、画像データは、撮影日ごとではなく、ユーザの所望のグループ（例えば、イベントなど）ごとにグループ化されてもよい。
【０１５４】
以上のように、図１のデジタルスチルカメラ１では、図３の再生対象決定部８３により決定される再生対象が静止画像である場合、再生制御部８４が、その再生対象である静止画像を再生し、再生対象決定部８３により決定される再生対象が動画像である場合、再生制御部８４が、その動画像を、通常の再生速度に比べて速い再生速度で再生するように、記録再生制御部２２を制御するようにしたので、ユーザが静止画像と動画像を含む複数の画像を、操作部等を用いて再生していく場合において、所望の画像を容易に検索することができる。
【０１５５】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１５６】
また、本発明の実施の形態は、上述した実施の形態に限定されるものではなく、本発明の要旨を逸脱しない範囲において種々の変更が可能である。
【図面の簡単な説明】
【０１５７】
【図１】本発明を適用したデジタルスチルカメラの構成例を示す図である。
【図２】ジョグシャトルの外観構成例を示す図である。
【図３】CPUの機能の構成例を示すブロック図である。
【図４】記録部に記録される画像データの例を示す図である。
【図５】早送り表示処理を説明するフローチャートである。
【図６】早送り表示処理を説明するフローチャートである。
【図７】早送り表示処理を説明するフローチャートである。
【図８】巻き戻し表示処理を説明するフローチャートである。
【図９】巻き戻し表示処理を説明するフローチャートである。
【図１０】巻き戻し表示処理を説明するフローチャートである。
【符号の説明】
【０１５８】
２３  記録部，  ３１  CPU，  ３３  ROM，  ３４  RAM，  ４３  メモリカード，  ８１  フォルダ情報取得部，  ８２  再生位置取得部，  ８３  再生対象決定部，  ８４  再生制御部，  ８５  画像取得部
【図１】
0004529845.tif 000002
【図２】
0004529845.tif 000003
【図３】
0004529845.tif 000004
【図４】
0004529845.tif 000005
【図５】
0004529845.tif 000006
【図６】
0004529845.tif 000007
【図７】
0004529845.tif 000008
【図８】
0004529845.tif 000009
【図９】
0004529845.tif 000010
【図１０】
0004529845.tif 000011